(57)【要約】【課題】本発明は、従来のようなネット編地の問題点を解決し、少なくともネット目の寸法に十分な自由度を有する２重ネット編地を提供すること。【解決手段】フロント・ネット編地Ｆとバック・ネット編地Ｂとで形成されるダブルラッシェル編地であって、前記それぞれの編地が、前記それぞれの編地を構成する畝部Ｗを部分的に連結した連結部Ｒを形成することで得られるネット目Ｎを有すると共に、フロント・ネット編地Ｆとバック・ネット編地Ｂの畝部Ｗが部分的に前後互いに接結される接結部Ｓを形成していて、これにより前記両編地が一体化されてなり、しかも部分的に遊離部Ｘを有している２重ネット編地Ｄ。【選択図】図１（Ｃ）
2011106061.tif 000002
【特許請求の範囲】
【請求項１】
フロント・ネット編地とバック・ネット編地とで形成されるダブルラッシェル編地であって、前記それぞれの編地が、前記それぞれの編地を構成する畝部を部分的に連結した連結部を形成することで得られるネット目を有すると共に、フロント・ネット編地とバック・ネット編地の畝部が部分的に前後互いに接結される接結部を形成していて、これにより前記両編地が一体化されてなり、しかも部分的に遊離部を有していることを特徴とする２重ネット編地。  
【請求項２】
フロント・ネット編地とバック・ネット編地のネット目が同一であることを特徴とする請求項１記載の２重ネット編地。
【請求項３】
フロント・ネット編地とバック・ネット編地が同一ネット目であり、しかも両編地のネット目が１／２リピートずれている状態で互いに部分的に接結されていることを特徴とする請求項２記載の２重ネット編地。
【請求項４】
フロント・ネット編地とバック・ネット編地のネット目が異なることを特徴とする請求項１記載の２重ネット編地。
【請求項５】
フロント・ネット編地とバック・ネット編地を形成する編成糸の素材、並びに物性値が異なることを特徴とする請求項１、２、３、４のいずれか１つに記載の２重ネット編地。
【請求項６】
フロント・ネット編地とバック・ネット編地を形成する編成糸が互いに識別可能に異色であることを特徴とする請求項１、２、３、４、５のいずれか１つに記載の２重ネット編地。
【請求項７】
ダブルラッシェル機のフロント・ニードル部とバック・ニードル部で、それぞれひも状の畝部を多数編成すると同時に同一ニードル部内において互いに隣接する畝部同士の所要箇所を連結して連結部を形成することによりネット目を有するフロント・ネット編地、並びにバック・ネット編地を得て、同時に両該編地の畝部同士、又は連結部同士、又は畝部と連結部同士の所要箇所を互いに前後接結した接結部を設けることで両編地を一体化し、前記接結部の接結箇所、接結数を分散定めることにより互いのズレ自由度を変えて、フロント・ネット編地の変化したネット目とバック・ネット編地の変化したネット目の重なりにより多様な合成ネット目を発現させることを特徴とする２重ネット編地の製造方法。
【発明の詳細な説明】
【技術分野】
【０００１】
本発明は、ダブルラッシェル機で編成されるネット編地に関し、更に詳しくは、２枚の編地を部分的に編成により一体接結してなるネット目寸法の自由度の大きい２重ネット編地、及びその製造方法に関する。
【背景技術】
【０００２】
ラッシェル機やダブルラッシェル機等の経編機で編成されるネット編地は、洗濯ネットやヘヤーネットのような家庭用生活資材やタイツ等の衣料用、或いは包帯等の医療用の他、土木分野、建設分野等で多用されている。
【０００３】
これらのネット編地は、その使用目的に応じて、これを編成する際の組織や糸使いにより編目の形状、大きさ、柔軟性等を自在に設定でき、特有の機能を得ることができる。
例えば、ヘヤーネットに用いられるネット編地のように伸縮自在で繊細なものや建設用安全ネットに見られるように丈夫で堅固なものがある。
【０００４】
また、土木用として傾斜地に付設し土砂崩れ防止や落石防止に用いられたり、河川等の護岸用の岩石袋などにも用いられる。
これらのネット編地は編み物であることから形態的に比較的変形が容易であり、現場敷設の際に便利であることや、岩石表面にフィットし易く、護岸工事の岩石を入れる袋等には都合が良い利点がある。
【０００５】
以上のようにネット編地は、多くの分野で使用され、その利用価値は高いのであるが、欠点もあり、必ずしもすべてが満足のいくものではない。
それは、ネット編地は上記のごとく、ラッシェル機やダブルラッシェル機等の経編機で編成されることから、一旦使用する糸素材や編み組織の仕様を設定して編成した後は、当然、編地自体のネット目の寸法等が固定化されてしまい、その一層の自由度を求めることには限界がある。
【０００６】
これらの解決手段の一つに、例えば、ネット編地を土石のキャリヤーバックや、崩れ防止ネットとして使用するような場合、大きなネット目を有するネット編地と小さなネット目を有するネット編地を２枚重ねとする手段が採用されている。
大きなネット目のネット編地は使用する糸素材を太くて丈夫なものにして強度を得て大きな岩石を支え、小さなネット目のネット編地では細かな土石を支えることとすれば、両編地の長所が生かされることとなる。
これらの手法は漁網等にも用いられている。
【０００７】
しかし、このような使用法においてもそれぞれのネット編地自体のネット目寸法は固定化されて自由度はない。
もっともネット編地についても多くの工夫がなされ、例えば強度を付与する効果的手段として特許文献に示すようなネット編地が存在するが、これもそのネット目は固定化されていて、すべての使用環境下において機能を発揮するものではない（特許文献１参照）。
この固定化されたネット目寸法が使用環境に応じて一定の範囲内で変化するものであれば、更なる機能性が発現され、今以上に、多くの分野で使用されることとなる。
このように多くの分野で使用されているネット編地は、糸素材、編み組織の仕様を設定して編成した後は、何れもそのネット目寸法が一義的に決まって固定化されてしまう。
１つのネット編地ではネット目寸法に十分な自由度を期待することは到底無理である。
【先行技術文献】
【特許文献】
【０００８】
【特許文献１】特開２００９−５７６７０号公報
【発明の概要】
【発明が解決しようとする課題】
【０００９】
本発明はこのような諸事情を背景になされたものである。
すなわち本発明の目的は、従来のようなネット編地の問題点を解決し、少なくともネット目の寸法に十分な自由度を有する２重ネット編地を提供することである。
【課題を解決するための手段】
【００１０】
本発明者らは、上記課題を解決するため鋭意検討したところ、従来のネット目を有するネット編地を２枚を部分的に一体組織として接結合することにより、少なくとも垂直面視で新たなネット目が形成される一枚物の編地を作り出すことが可能であることを見出し、この知見をもとに、本発明を完成するに至った。
【００１１】
即ち、本発明は、（１）、フロント・ネット編地とバック・ネット編地とで形成されるダブルラッシェル編地であって、前記それぞれの編地が、前記それぞれの編地を構成する畝部を部分的に連結した連結部を形成することで得られるネット目を有すると共に、フロント・ネット編地とバック・ネット編地の畝部が部分的に前後互いに接結される接結部Ｓを形成していて、これにより前記両編地が一体化されてなり、しかも部分的に遊離部を有している２重ネット編地に存する。
【００１２】
即ち、本発明は、（２）、フロント・ネット編地Ｆとバック・ネット編地Ｂのネット目Ｎが同一である上記（１）記載の２重ネット編地Ｄに存する。
【００１３】
即ち、本発明は、（３）、フロント・ネット編地Ｆとバック・ネット編地Ｂが同一ネット目Ｎであり、しかも両編地のネット目Ｎが１／２リピートずれている状態で互いに部分的に接結されている上記（２）記載の２重ネット編地Ｄに存する。
【００１４】
即ち、本発明は、（４）、フロント・ネット編地Ｆとバック・ネット編地Ｂのネット目Ｎが異なる上記（１）記載の２重ネット編地Ｄに存する。
【００１５】
即ち、本発明は、（５）、フロント・ネット編地Ｆとバック・ネット編地Ｂを形成する編成糸Ｙの素材、並びに物性値が異なる上記（１）、（２）、（３）、（４）のいずれか１つに記載の２重ネット編地Ｄに存する。
【００１６】
即ち、本発明は、（６）、フロント・ネット編地Ｆとバック・ネット編地Ｂを形成する編成糸Ｙが互いに識別可能に異色である上記（１）、（２）、（３）、（４）、（５）のいずれか１つに記載の２重ネット編地Ｄに存する。
【００１７】
即ち、本発明は、（７）、ダブルラッシェル機ＤＲのフロント・ニードル部ＦＮとバック・ニードル部ＢＮで、それぞれひも状の畝部Ｗを多数編成すると同時に同一ニードル部内において互いに隣接する畝部Ｗ同士の所要箇所を連結して連結部Ｒを形成することによりネット目Ｎを有するフロント・ネット編地Ｆ、並びにバック・ネット編地Ｂを得て、同時に両該編地の畝部Ｗ同士、又は連結部同士、又は畝部と連結部同士の所要箇所に互いに前後接結した接結部Ｓを設けることで両編地を一体化し、前記接結部Ｓの接結箇所、接結数を分散定めることにより互いのズレ自由度を変えて、フロント・ネット編地Ｆの変化したネット目Ｎとバック・ネット編地Ｂの変化したネット目Ｎの重なりにより多様な合成ネット目ＧＮを発現させる２重ネット編地Ｄの製造方法に存する。
【発明の効果】
【００１８】
本発明の２重ネット編地Ｄは、フロント・ネット編地Ｆ、バック・ネット編地Ｂ共に、畝部Ｗに連結部Ｒを作ることでネット目Ｎが形成されているので、連結部Ｒの箇所、個数により両編地のネット目Ｎが同一のもの、異なるものなど自在にネット目Ｎの形を形成することができる。
そして、フロント・ネット編地Ｆとバック・ネット編地Ｂは、使用素材や編目密度等を個別に設定でき編地自体の作用機能の効果的向上が図られる。
【００１９】
そして、これらの２枚の編地が、部分的に適宜箇所で接結部Ｓにより前後接結されているので、接結部Ｓ以外の部分では互いの動きの自由度を維持しつつ、一体化されていて、本編地を加工したり、現場で敷設する際には１枚ものとして扱うことができ不便がない。
しかも、本発明の２重ネット編地Ｄは、ダブルラッシェル機ＤＲにより本発明の主旨に従ったものを組織的に一体的に一挙に自在に製造出来るので極めて効率的である。
【００２０】
そして、本発明の２重ネット編地Ｄは、フロント・ネット編地Ｆとバック・ネット編地Ｂの２枚のネット編地が、接結箇所以外は、互いに遊離していて自由度が保たれているので、この２重ネット編地Ｄを垂直面視した場合、フロント・ネット編地Ｆの畝部Ｗとバック・ネット編地Ｂの畝部Ｗの相互の動き関係により、フロント・ネット編地Ｆの畝部Ｗとバック・ネット編地Ｂの畝部Ｗの重なりによって、多様で自在に変化する第３のネット目とも言うべき合成ネット目ＧＮが創成される。
すなわちフロント・ネット編地Ｆの畝部Ｗとバック・ネット編地Ｂの畝部Ｗとの前後の畝部により、各本来編地にはない新しい合成ネット目ＧＮが形成されて新しい機能が付与されるのである。
【００２１】
例えば、本２重ネット編地Ｄを落石防止用として使用した場合には、対象物に直面したフロント・ネット編地Ｆがまず、そのショックを和らげ、次にバック・ネット編地Ｂがこれを補佐的に受け止める作用順位が発揮され、従来の１枚ものに比較して飛躍的に強度や寿命面での安全が確保される。
【００２２】
更には、フロント・ネット編地Ｆのネット目Ｎを大きく、バック・ネット編地Ｂのネット目Ｎを小さく設定すれば、大きな落石をフロント・ネット編地Ｆが受け止め、小さな落石は、バック・ネット編地Ｂが受け止めることとなり、また新しい合成ネット目ＧＮによりフロント・ネット編地やバック・ネット編地Ｂのネット目にはない大きさの落石を受け止めることができる。
またフロント・ネット編地Ｆの素材には太くて強い素材を使用し、バック・ネット編地Ｂの素材には標準のものを使用することができ、製造コストの低減化が図られ、効率的である。
【００２３】
そして、本２重ネット編地Ｄのフロント・ネット編地Ｆとバック・ネット編地Ｂのネット目Ｎの大きさを異ならせて、しかも接結部Ｓの設定範囲を大きくすれば、２枚の編地のズレ自由度が大きくなる。
【００２４】
そして、本発明の２重ネット編地Ｄを河川工事に使用する岩石袋等に使用した場合には、表面変化のある岩石のような対象物の表面にフロント・ネット編地Ｆ、バック・ネット編地Ｂのそれぞれが２段構えで絡みつき、対象岩石等の動きを確実に押さえることが可能となり、安定した河川補強が可能となる。
【００２５】
そして、フロント・ネット編地Ｆとバック・ネット編地Ｂを形成する編成糸Ｙを互いに識別可能に異色とすることにより、加工や敷設の際、両編地を違わず選択でき、確実な加工や施工が可能となる他、両編地のいずれかが損傷したかについても確実に視認できる効果がある。
【図面の簡単な説明】
【００２６】
【図１（Ａ）】図１（Ａ）は、フロント・ネット編地とバック・ネット編地とからなる２重ネット編地Ｄの実態模式図である。
【図１（Ｂ）】図１（Ｂ）は、第１の実施の形態を示す図１（Ａ）を幾何学模様で示した模式図である。
【図１（Ｃ）】図１（Ｃ）は、第１の実施の形態における合成ネット目の模式図である。
【図１（Ｄ）】図１（Ｄ）の（ａ）は、第１の実施の形態における２重ネット編地のフロント・ネット編地のダブルラッシェル編地仕様の組織図である。  図１（Ｄ）の（ｂ）は、第１の実施の形態における２重ネット編地のバック・ネット編地のダブルラッシェル編地仕様の組織図である。
【図１（Ｅ）】図１（Ｅ）は、第１の実施の形態におけるフロント・ネット編地をシングルラッシェル編地仕様で示した、挿入糸を含めた組織図である。
【図２】図２は、第２の実施の形態の１例を示すフロント・ネット編地とバック・ネット編地を幾何学模様で示した模式図である。
【図３（Ａ）】図３（Ａ）は、第３の実施の形態におけるバック・ネット編地がフロント・ネット編地のネット目の１／４の大きさである２重ネット編地の幾何学模様で示した模式図である。
【図３（Ｂ）】図３（Ｂ）は、第３の実施の形態におけるバック・ネット編地をシングルラッシェル編地仕様で示した、挿入糸を含めた組織図である。
【図４】図４は、本２重ネット編地を編成するダブルラッシェル機の断面模式図である。
【発明を実施するための形態】
【００２７】
以下、必要に応じて図面を参照しつつ、本発明の好適な実施形態について詳細に説明する。
【００２８】
本編地は、図４の断面模式図に示すようにダブルラッシェル機ＤＲで編成される。
フロント二ードル部ＦＮでフロント・ネット編地Ｆが、バックニードル部ＢＮでバック・ネット編地Ｂが編成される。
本ダブルラッシェル機ＤＲは、ガイドＧ１〜ガイドＧ１０で構成されるガイド群ＧＬを擁し、それぞれに通糸された編成糸Ｙで２重ネット編地Ｄが編成される。
【００２９】
（第１の実施の形態）
図１（Ａ）は、本発明の第１の実施の形態を示す模式図である。
本実施の形態の２重ネット編地Ｄはダブルラッシェル地であり、大きくはフロント・ネット編地Ｆとバック・ネット編地Ｂで構成されている。
フロント・ネット編地Ｆ、バック・ネット編地Ｂともに多数のひも状の畝部Ｗを編成し、これを所要箇所を部分的に連結した連結部Ｒを形成することでネット目Ｎが形成されている。
ここで、図１（Ａ）に示すネット目Ｎは、合成ネット目ＧＮとの比較のため、フロント・ネット編地Ｆ、並びにバック・ネット編地Ｂの一部を省略したものを示した。
【００３０】
本実施の形態では、フロント・ネット編地Ｆとバック・ネット編地Ｂは、同一組織でネット目Ｎの大きさ、形は同じであるが、上下に１／２リピート（図１（Ｂ）にＰで示す）ずれて編成している。
また、実際には、図１（Ａ）に示すように連結部Ｒは線状の長さを有していることと畝部Ｗが剛性を有していることからネット目Ｎは曲線を描いている。
これを実施の形態２、３（幾何学模様で説明している）との比較のために幾何学模様で示せば図１（Ｂ）に示すようにネット目Ｎは菱形である。
【００３１】
そして、フロント・ネット編地Ｆとバック・ネット編地Ｂは、両編地の畝部Ｗの所要箇所を部分的に互いに前後接結した接結部Ｓを設けて接結され全体として一枚物の２重ネット編地Ｄとなっている。
接結部Ｓは図１（Ｂ）に黒丸（●）で示すように、規則的に分散して設けられている。
この接結部Ｓが設けられることで両編地は組織的に一体化され、しかも接結されていない部分（接結部Ｓ以外の部分に相当）、つまり遊離部Ｘがあることにより互いの動きの自由度が確保される。
つまり、両編地の相対的な自由な動きにより畝部にズレが生じ、これを編地方向に対して垂直面視した場合、そこに第３のネット目と言うべき合成ネット目ＧＮが発現する。
一枚物の２重ネット編地Ｄにおけるこの合成ネット目ＧＮの発現は、本発明の重要な特徴である。
【００３２】
ここで、フロント・ネット編地Ｆとバック・ネット編地Ｂを接結する接結部についていうと、上述した接結部Ｓは両編地の畝部Ｗ同士の接結例で示したが、他にも両編地の連結部Ｒ同士、フロント・ネット編地Ｆの連結部Ｒとバック・ネット編地Ｂの畝部Ｗ、フロント・ネット編地Ｆの畝部Ｗとバック・ネット編地Ｂの連結部Ｒがあり、４つの接結組み合わせがあげられる。
【００３３】
図１（Ｃ）に、フロント・ネット編地Ｆとバック・ネット編地Ｂの変形による合成ネット目Ｇを説明する模式図を示している。
本図では、理解を容易にするためにフロント・ネット編地Ｆのネット目Ｎはそのままに、バック・ネット編地Ｂのネット目Ｎのみの変形を示してネット目Ｎの変形による合成ネット目ＧＮの形成状態を示している。
実際には、フロント・ネット編地Ｆとバック・ネット編地Ｂのいずれのネット目Ｎも自在に変形して両者の重なりにより自在な合成ネット目ＧＮを発現する。
すなわちフロント・ネット編地Ｆの畝部Ｗとバック・ネット編地Ｂの畝部Ｗである前後の畝部により、各本来編地にはない新しい合成ネット目ＧＮが形成され新しい機能が付与されるのである。
合成ネット目ＧＮの形、大きさは、変幻自在で小さな合成ネット目ＧＮから、かなり大きな合成ネット目ＧＮも発現できる。
【００３４】
そして、互いの自由な動きによるズレ移動は、接結部Ｓ間の間隔を大きくすればするほど大きくなり、変化に富んだ合成ネット目ＧＮが得られる。
しかし、フロント・ネット編地Ｆとバック・ネット編地Ｂの取り扱いの観点から一体化に重きを置く場合には、それに対応した間隔で接結部Ｓが設けられることが望ましい。
【００３５】
図１（Ｄ）の（ａ）、（ｂ）に、第１の実施の形態の２重ネット編地Ｄの組織図の１例をダブルラッシェル編地仕様の組織図で示す。
本例の２重ネット編地におけるフロント・ネット編地Ｆ、並びにバック・ネット編地Ｂは５６コースで１リピートである。
図１（Ｄ）の（ａ）において、連結部Ｒ１は、畝部Ｗ２と畝部Ｗ３を互いに絡ませて形成される。
そして、順次、畝部Ｗが編成されていき、畝部Ｗ２は今度は畝部Ｗ１と絡んで、連結部Ｒ２を形成する。
このように、畝部Ｗ２は、絡む畝部Ｗを右、左、右・・・と交互にかえていくことにより、本フロント・ネット編地Ｆは、これを幅方向に拡張した際に菱形となるネット目Ｎを有することとなる。
【００３６】
本発明の２重ネット編地Ｄでは、ネット組織地ＮＣに補強糸としての挿入糸Ｌを挿入した編地を採用している。
図１（Ｄ）の（ａ）、（ｂ）では、挿入糸Ｌの組織を記載することによる視覚的な理解の低下を防ぐために、挿入糸Ｌの組織は示していない。
挿入糸Ｌについては、シングルラッシェル編地仕様の組織図として図１（Ｅ）にその挿入状態を示し、その具体的組織については下記に示す。
【００３７】
以下、図１（Ｄ）の（ａ）、（ｂ）に示した第１の実施の形態の２重ネット編地Ｄの組織例をダブルラッシェル編地仕様により、フロント・ネット編地Ｆ、並びにバック・ネット編地Ｂのネット組織ＮＣを、ガイドＧ３、Ｇ４、Ｇ５、Ｇ６、Ｇ７、Ｇ８について示す。
【００３８】
（第１の実施の形態の２重ネット編地Ｄのダブルラッシェル編地仕様組織例）
ガイドＧ５の組織においては接結部Ｓ１を有する。ガイドＧ４では接結部Ｓは存在しない。
【００３９】
（フロント・ネット編地Ｆの組織例）
なお、このように表示された編地の仕様組織に基づいて、実際の編地編成が行われる。
（接結部Ｓ１を有する組織）
Ｇ５（２・４／４・４／４・２／４・４／４／６／６・６／６・４／４・４／４／６／６・６／６・４／４・４／４・２／２・２／２・４／４・４／４・２／２・２／２・４／４・４／４・２／（２／４／４・４）／４・４／４・２／２・２／２・４／４・４／４・２／２・２／２・４／２・２／２・０／０・０／０・２／２・２／２・０／０・０／０・２／２・２／２・４／４・４／４・２／２・２／２・４／４・４／４・２／２・２／２・４／４・４／４・２／２・２／２・４／４・４／４・２／２・２／）
【００４０】
（接結部Ｓ１を有しない組織）
Ｇ４（２・４／４・４／４・２／４・４／４／６／６・６／６・４／４・４／４／６／６・６／６・４／４・４／４・２／２・２／２・４／４・４／４・２／２・２／２・４／４・４／４・２／２・２／２・４／４・４／４・２／２・２／２・４／４・４／４・２／２・２／２・４／２・２／２・０／０・０／０・２／２・２／２・０／０・０／０・２／２・２／２・４／４・４／４・２／２・２／２・４／４・４／４・２／２・２／２・４／４・４／４・２／２・２／２・４／４・４／４・２／２・２／）  
【００４１】
Ｇ３（４・２／２・２／２・４／２・２／２・０／０・０／０・２／２・２／２・０／０・０／０・２／２・２／２・４／４・４／４・２／２・２／２・４／４・４／４・２／２・２／２・４／４・４／４・２／２・２／２・４／４・４／４・２／２・２／２・４／４・４／４・２／２・２／２・４／４・４／４・２／２・２／２・４／４・４／４・２／２・２／２・０／０・０／０・２／２・２／２・０／０・０／０・２／２・２／２・０／０・０／０・２／２・２／２・０／０・０／０・２／２・２／）
【００４２】
（バック・ネット編地Ｂの組織例）
ガイドＧ６の組織においては接結部Ｓ２を有する。ガイドＧ７では接結部Ｓは存在しない。
【００４３】
（接結部Ｓ２を有する組織）
Ｇ６（４・４／４・２／２・２／２・４／２・２／２・０／０・０／０・２／２・２／２・０／０・０／０・２／２・２／２・４／４・４／４・２／２・２／２・４／４・４／４・２／２・２／２・４／（４・２／２・２）／２・２／２・４／４・４／４・２／２・２／２・４／４・４／４・２／４・４／４・６／６・６／６・４／４・４／４・６／６・６／６・４／４・４／４・２／２・２／２・４／４・４／４・２／２・２／２・４／４・４／４・２／２・２／２・４／４・４／４・２／２・２／２・４）
【００４４】
（接結部Ｓ２を有しない組織）
Ｇ７（４・４／４・２／２・２／２・４／２・２／２・０／０・０／０・２／２・２／２・０／０・０／０・２／２・２／２・４／４・４／４・２／２・２／２・４／４・４／４・２／２・２／２・４／４・４／４・２／２・２／２・４／４・４／４・２／２・２／２・４／４・４／４・２／４・４／４・６／６・６／６・４／４・４／４・６／６・６／６・４／４・４／４・２／２・２／２・４／４・４／４・２／２・２／２・４／４・４／４・２／２・２／２・４／４・４／４・２／２・２／２・４）
【００４５】
Ｇ８（２・２／２・４／４・４／４・２／４・４／４・６／６・６／６・４／４・４／４・６／６・６／６・４／４・４／４・２／２・２／２・４／４・４／４・２／２・２／２・４／４・４／４・２／２・２／２・４／４・４／４・２／２・２／２・４／４・４／４・２／２・２／２・４／２・２／２・０／０・０／０・２／２・２／２・０／０・０／０・２／２・２／２・４／４・４／４・２／２・２／２・４／４・４／４・２／２・２／２・４／４・４／４・２／２・２／２・４／４・４／４・２）
【００４６】
（第１の実施の形態の２重ネット編地Ｄにおけるフロント・ネット編地Ｆのシングルラッシェル編地仕様の組織例）
シングルラッシェル編地仕様の組織では、接結部Ｓについては記載しないので、ガイドＧ５については記載しない。
Ｇ４（４・２／２・４／２・０／０・２／２・０／０・２／２・４／４・２／２・４／４・２／２・４／４・２／２・４／４・２／２・４／４・２／４・６／６・４／４・６／６・４／４・２／２・４／４・２／２・４／４・２／２・４／４・２／２・４）  
【００４７】
Ｇ３（２・４／４・２／４・６／６・４／４・６／６・４／４・２／２・４／４・２／２・４／４・２／２・４／４・２／２・４／４・２／２・４／２・０／０・２／２・０／０・２／２・４／４・２／２・４／４・２／２・４／４・２／２・４／４・２）
【００４８】
Ｇ２（４・４／０・０／４・４／０・０／４・４／０・０／４・４／２・２／４・４／２・２／４・４／２・２／４・４／２・２／４・４／２・２／６・６／２・２／６・６／２・２／６・６／２・２／４・４／２・２／４・４／２・２／４・４／２・２）
【００４９】
Ｇ１（２・２／６・６／２・２／６・６／２・２／６・６／２・２／４・４／２・２／４・４／２・２／４・４／２・２／４・４／２・２／４・４／０・０／４・４／０・０／４・４／０・０／４・４／２・２／４・４／２・２／４・４／２・２／４・４）  
【００５０】
上記の組織でガイドＧ４、Ｇ３、Ｇ２、Ｇ１を用いてフロント・ネット編地Ｆを形成するが、同様の手法で、ガイドＧ７、Ｇ８、Ｇ９、Ｇ１０を用いてバック・ネット編地Ｂを形成する。そして、両編地を、上記した接結組み合わせに従い、接結部Ｓを形成して一体化する。
本第１の実施の形態においては、１／２リピートの上下ズレで接結しているので、両編地の畝部Ｗ同士の接結となり、図１（Ａ）、（Ｂ）に示す２重ネット編地Ｄが得られることとなる。
【００５１】
（第２の実施の形態）
図２は、本発明の第２の実施の形態を示す図である。  
本実施の形態の２重ネット編地Ｄは、上述した第１の実施の形態がフロント・ネット編地Ｆとバック・ネット編地Ｂの組織が上下に１／２リピートずれているのに対して、ネット目Ｎの大きさも相対位置も同じである。
図２では、視覚的に理解を容易にするために、フロント・ネット編地Ｆとバック・ネット編地Ｂを少々、ずらして示してあるが、垂直面視した場合、実際には、重なっていてバック・ネット編地Ｂは見えない状態である。
また、図２ではネット目Ｎは菱形となっているが、実際には、第１の実施の形態の図１（Ａ）に示すように連結部Ｒは線状の長さを有していることと畝部Ｗが剛性を有していることから曲線を描いている。
【００５２】
フロント・ネット編地Ｆとバック・ネット編地Ｂが接結部Ｓで接結されていること、その接結部Ｓが適宜、分散して設けられていること、両編地の互いの動きに自由度があること、ズレにより合成ネット目ＧＮが発現すること等の本発明の重要な特徴については、第１の実施の形態と同様である。
【００５３】
編地の組織については、図１（Ｄ）に示した上記第１の実施の形態のものと比較して、フロント・ネット編地Ｆの組織とバック・ネット編地Ｂの組織が１／２ズレ戻されている組織となる。
接結部Ｓについては両編地の連結部Ｒ同士を接結することで第２の実施の形態のネット編地が得られる。
【００５４】
（第３の実施の形態）
図３（Ａ）は、本発明の第３の実施の形態を示す図である。  
この実施の形態の２重ネット編地Ｄは、第１の実施の形態や第２の実施の形態におけるフロント・ネット編地Ｆとバック・ネット編地Ｂのネット目Ｎの大きさ、形が同一であったのに対して、フロント・ネット編地Ｆのネット目Ｎとバック・ネット編地Ｂのネット目Ｎの組織が異なり、ネット目Ｎの大きさが異なる相違点を有する。
図３（Ａ）に示すように、フロント・ネット編地のネット目Ｎに比較して、バック・ネット編地のネット目Ｎは１／４の大きさとなっている。
【００５５】
フロント・ネット編地Ｆとバック・ネット編地Ｂが接結部Ｓで接結されていること、その接結部Ｓが適宜、分散して設けられていること、両編地の互いの動きに自由度があること、ズレにより合成ネット目ＧＮが発現すること等の本発明の重要な特徴については、第１の実施の形態、第２の実施の形態と同様である。
【００５６】
編地の組織については、フロント・ネット編地Ｆは上記した第１の実施の形態のネット編地の組織に比較して接結部Ｓの組織以外は同一であり、バック・ネット編地Ｂについては、図３（Ｂ）にシングルラッシェル編地仕様の組織図で示すように、フロント・ネット編地Ｆの１／４の大きさであり、以下のガイドナンバーＧ７、Ｇ８、Ｇ９、Ｇ１０ごとに示した通りである。
シングルラッシェル編地仕様の組織では、接結部Ｓについては記載しないので、ガイドＧ６については記載しない。
【００５７】
Ｇ７（４・２／２・４／４・２／２・０／０・２／２・４／４・２／２・４／４・２／２・４／４・６／６・４／４・２／２・４）
【００５８】
Ｇ８（２・４／４・２／２・４／４・６／６・４／４・２／２・４／４・２／２・４／４・２／２・０／０・２／２・４／４・２）
【００５９】
Ｇ９（４・４／２・２／６・６／２・２／６・６／２・２／４・４／２・２／４・４／０・０／４・４／０・０／４・４／２・２）
【００６０】
Ｇ１０（２・２／４・４／０・０／４・４／０・０／４・４／２・２／４・４／２・２／６・６／２・２／６・６／２・２／４・４）
【００６１】
上記の組織でガイドＧ７、Ｇ８、Ｇ９、Ｇ１０を用いてバック・ネット編地Ｂを形成する。
これとフロント・ネット編地Ｆを、両編地の選択された連結部Ｒ同士で接結して一体化する。
接結部Ｓの形成箇所は、図３（Ａ）に示すように、フロント・ネット編地Ｆの連結部Ｒの一つ飛びの箇所とし、遊離部Ｘを形成して、ズレの自由度を持たせている。
【００６２】
以上、本発明をその実施の形態を例に説明したが、本発明は要旨の変更のない限り、実施の形態のみに限定されるものではなく多様な変形例が可能である。
例えば、フロント・ネット編地Ｆやバック・ネット編地Ｂのネット目形状を菱形のような規則的なものからランダムなネット目形状にして更に合成ネット目ＧＮの変化を得ることが可能となる。
また、フロント・ネット編地Ｆとバック・ネット編地Ｂの接結についても接結部Ｓを不規則に散在させることで両編地のズレの自由度に多様な変化を付与することが可能となる。
更には、フロント・ネット編地Ｆ、バック・ネット編地Ｂの組織に関し、必要に応じて補強のための挿入糸を使用することや畝部Ｗを幅広の形状にすることなども当然可能である。
【産業上の利用可能性】
【００６３】
本発明の２重ネット編地は、フロント・ネット編地の畝部とバック・ネット編地の畝部である前後の畝部、畝部により従来編地にはない新しい合成ネット目が形成されるという特徴があり、この特徴を適用する限り、土木資材等の産業用に限らず、ゴミ収納袋のような生活用品や包帯等の医療用品用としても広く利用可能である。
【符号の説明】
【００６４】
Ｄ…２重ネット編地
Ｆ…フロント・ネット編地
Ｂ…バック・ネット編地
Ｗ…畝部
Ｗ１…畝部
Ｗ２…畝部
Ｗ３…畝部
Ｗ４…畝部
Ｎ…ネット目
ＮＣ…ネット組織地
Ｌ…挿入糸
ＧＮ…合成ネット目
Ｒ…連結部
Ｒ１…連結部
Ｒ２…連結部
Ｒ３…連結部
Ｒ４…連結部
Ｓ…接結部
Ｓ１…フロント・ネット編地Ｆの接結部
Ｓ２…バック・ネット編地Ｂの接結部
Ｘ…遊離部
ＤＲ…ダブルラッシェル機
ＦＮ…フロントニードル部
ＢＮ…バックニードル部
Ｇ１〜Ｇ１０…  ガイド
ＧＬ…ガイド群
Ｙ…編成糸
【図１（Ａ）】
2011106061.tif 000003
【図１（Ｂ）】
2011106061.tif 000004
【図１（Ｃ）】
2011106061.tif 000005
【図１（Ｄ）】
2011106061.tif 000006
【図１（Ｅ）】
2011106061.tif 000007
【図２】
2011106061.tif 000008
【図３（Ａ）】
2011106061.tif 000009
【図３（Ｂ）】
2011106061.tif 000010
【図４】
2011106061.tif 000011